【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】少なくとも１枚の基板と液晶層とを有する液晶表示素子であり、局所的に他の領域と配向方向が異なっている異配向方位領域が存在することを特徴とする液晶表示素子。
【請求項２】一対の基板と液晶層とを有する液晶表示素子であり、前記一対の基板にはともに略平行な配向処理がなされており、局所的に他領域と配向方向が異なっている異配向方位領域が存在することを特徴とする液晶表示素子。
【請求項３】前記異配向方位領域が、前記基板付近の液晶の配向方位であることを特徴とする請求項ｌ又は２記載の液晶表示素子。
【請求項４】前記基板の少なくとも１枚には配向処理がなされており、前記配向処理において、局所的に他の領域と配向処理方向が異なっている異配向方位領域が存在することを特徴とする請求項１又は２記載の液晶表示素子。
【請求項５】前記異配向方位領域を形成する手段が、横方向電界を印加する手段であることを特徴とする請求項１から４のいずれか記載の液晶表示素子。
【請求項６】前記横方向電界に、ラビング方向に対して右向き成分を有する右傾斜領域と左向き成分を有する左傾斜領域とを少なくとも有する請求項５記載の液晶表示素子。
【請求項７】前記右傾斜領域と左傾斜領域とが接する領域を有することを特徴とする請求項６記載の液晶表示素子。
【請求項８】前記右傾斜領域と左傾斜領域とが接する領域が転移核として作用することを特徴とする請求項７記載の液晶表示素子。
【請求項９】前記異配向方位領域を形成する期間が、転移電圧を印加している期間であることを特徴とする請求項５記載の液晶表示素子。
【請求項１０】前記横方向電界がゲート線と画素電極との間の横方向電界であることを持徴とする請求項５記載の液晶表示素子。
【請求項１１】前記横方向電界がソース線と画素電極との間の横方向電界であることを特徴とする請求項５記載の液晶表示素子。
【請求項１２】前記横方向電界を発生させるための部材間の際間がジグザグ構造を有していることを特徴とする請求項５記載の液晶表示素子。
【請求項１３】前記ジグザグ構造の屈折点間の部分を構成する直線の傾斜角度が、ラビング方向に対し４５度以上傾斜していることを特徴とする請求項１２記載の液晶表示素子。
【請求項１４】前記ジグザグ構造のピッチが３０μｍ以上であることを特徴とする請求
項１２記載の液晶表示素子。
【請求項１５】前記ジグザグ構造のピッチが画素のピッチ以下であることを特徴とする請求項１２記載の液晶表示素子。
【請求項１６】前記横方向電界を発生させるための部材間の隙間が４μｍ以上、２０μｍ以下であることを特徴とする請求項５記載の液晶表示素子。
【請求項１７】対向する一対の基板間に液晶層が配置され、一方の前記基板上にソース線、ゲート線、及び画素電極が形成され、他方の前記基板上に対向電極が形成された液晶表示素子であって、前記画素電極と前記ソース線及びゲート線のうちの一方との相隣合う縁部同士が、平面視において、所定の隙間を有して互いに噛み合うように形成されたことを特徴とする液晶表示素子。
【請求項１８】前記互いに噛み合う形状がジグザグ形状であることを特徴とする請求項１７記載の液晶表示素子。
【請求項１９】対向する一対の基板間に液晶層が配置され、一方の前記基板上にソース線、ゲート線、及び画素電極が形成されるとともに他方の前記基板に対向電極が形成され、局所的に他の領域と配向方向が異なっている異配向方位領域を横方向電界によって発生させる液晶表示素子の駆動方法であって、前記ゲート線に略全ての期間に特定符号のゲート電圧を印加し、前記ソース線にゲート電圧と逆符号の電圧を、前記対向電極にはゲート電圧と同符号の電圧を印加する期間が存在することを特徴とする液晶表示素子の駆動方法。
【請求項２０】前記ゲート線には通常駆動用の走査波形を有する電圧が印加されていることを特徴とする請求項１９記載の液晶表示素子の駆動方法。
【請求項２１】対向する一対の基板間に液晶層が配置され、一方の前記基板上にソース線、ゲート線、及び画素電極が形成されるとともに他方の前記基板に対向電極が形成され、局所的に他の領域と配向方向が異なっている異配向方位領域を横方向電界によって発生させる液晶表示素子の駆動方法であって、相隣合う前記ソース線には交互に異なる電圧が印加されることを持徴とする液晶表示素子の駆動方法。
【請求項２２】少なくとも１枚の基板と液晶層とを有する液晶表示素子に、局所的に他の領域と配向方向が異なっている異配向方位領域を形成することを特徴とする液晶表示素子の製造方法。
【請求項２３】前記異配向方位領域をラビング処理により形成することを特徴とする請求項２２記載の液晶表示素子の製造方法。
【請求項２４】前記ラビング処理におけるバイアス角度が３０度以下であることを特徴とする請求項２３記載の液晶表示素子の製造方法。
【請求項２５】前記配向処理がラビング処理であるとともに、前記異配向方位領域を形成する手段が立体障害であって、前記立体障害のラビングの影部分に、ラビング方向から見て右方向にラビングされた領域と左方向にラビングされた領域とが形成されていることを特徴とする請求項４記載の液晶表示素子。
【請求項２６】前記異配向方位領域が転移核となるとともに、前記転移核から画素電極までの間において、転移電圧が連続して印加されることを特徴とする請求項１から４のいずれかに記載の液晶表示素子。
【請求項２７】画素電極が、画素構造において最上層に形成されたことを持徴とする請求項１から４のいずれかに記載の液晶表示素子。
【請求項２８】前記異配向方位領域を補助容量電極上に形成するとともに、前記補助容量電極と画素電極とがオーバーラップしている構造であることを特徴とする請求項１から４のいずれかに記載の液晶表示素子。
【請求項２９】前記互いに噛み合う形状が凸形状であることを特徴とする請求項１７記載の液晶表示素子。
【請求項３０】前記画素電極と前記ゲート線との相隣合う縁部同士が、互いに噛み合うように形成されたことを特徴とする請求項２９記載の液晶表示素子。
【請求項３１】前記噛み合い部分は、該部分に形成される横方向電界の方向が前記一対
の基板に施されたパラレル配向処理の方向に対し４５度以上かつ１３５度以下の交差角を有するような形状に形成されていることを特徴とする請求項３０記載の液晶表示素子。
【請求項３２】前記交差角が８０度以上かつ１００度以下であることを特徴とする請求項３１記載の液晶表示素子。
【請求項３３】前記交差角が９０度であることを特徴とする請求項３１記載の液晶表示素子。
【請求項３４】前記噛み合い部分の画素電極と前記ゲート線との隙間が３μｍ以上かつ１５μｍ以下であることを特徴とする請求項３０記載の液晶表示素子。
【請求項３５】転移動作中において、前記ゲート線は少なくとも高電圧状態であり、かつ前記画素電極は前記高電圧状態より低い、０Ｖを含む低電圧状態であることを特徴とする請求項３０から３４のいずれか記載の液晶表示素子。
【請求項３６】前記噛み合い部に形成される横方向電界により前記一方の基板内面付近の液晶分子列を前記パラレル配向処理の方向から横方向に捩らせ、かつ前記対向電極と前記画素電極との間に印加される縦方向電界で液晶分子を立ち上がらせて、前記液晶層をベンド配向へ転移させることを特徴とする請求項３０から３５のいずれか記載の液晶表示素子。
【手続補正２】
【補正対象書類名】明細書
【補正対象項目名】００２１
【補正方法】変更
【補正の内容】
【００２１】
また、前記配向処理がラビング処理であるものとしてもよい。
【手続補正３】
【補正対象書類名】明細書
【補正対象項目名】００２２
【補正方法】変更
【補正の内容】
【００２２】
また、前記異配向方位領域を形成する手段が、立体障害であるものとしてもよい。
【手続補正４】
【補正対象書類名】明細書
【補正対象項目名】００２３
【補正方法】変更
【補正の内容】
【００２３】
また、前記異配向方位領域を形成する手段が、柱状構造体であるものとしてもよい。
【手続補正５】
【補正対象書類名】明細書
【補正対象項目名】００２４
【補正方法】変更
【補正の内容】
【００２４】
また、前記異配向方位領域を形成する手段が、錐状構造体であるものとしてもよい。
【手続補正６】
【補正対象書類名】明細書
【補正対象項目名】００２５
【補正方法】変更
【補正の内容】
【００２５】
また、前記異配向方位領域を形成する手段が、山形状構造体であるものとしてもよい。
【手続補正７】
【補正対象書類名】明細書
【補正対象項目名】００２６
【補正方法】変更
【補正の内容】
【００２６】
また、前記異配向方位領域を形成する手段が溝状構造体であるものとしてもよい。
【手続補正８】
【補正対象書類名】明細書
【補正対象項目名】００２７
【補正方法】変更
【補正の内容】
【００２７】
また、前記溝状構造体がフオトリソグラフィー法で形成されるものとしてもよい。
【手続補正９】
【補正対象書類名】明細書
【補正対象項目名】００２８
【補正方法】変更
【補正の内容】
【００２８】
また、前記溝状構造体がスタンプ法で形成されるものとしてもよい。
【手続補正１０】
【補正対象書類名】明細書
【補正対象項目名】００２９
【補正方法】変更
【補正の内容】
【００２９】
また、前記異配向方位領域を形成する手段が凹部溝の形成であるものとしてもよい。
【手続補正１１】
【補正対象書類名】明細書
【補正対象項目名】００３０
【補正方法】変更
【補正の内容】
【００３０】
また、前記異配向方位領域を形成する手段が光配向処理であるものとしてもよい。
【手続補正１２】
【補正対象書類名】明細書
【補正対象項目名】００３１
【補正方法】変更
【補正の内容】
【００３１】
また、前記基板は配向膜を有し、前記配向膜は光感応性を有するものとしてもよい。
【手続補正１３】
【補正対象書類名】明細書
【補正対象項目名】００３２
【補正方法】変更
【補正の内容】
【００３２】
また、前記光配向処理が、光走査処理であるものとしてもよい。
【手続補正１４】
【補正対象書類名】明細書
【補正対象項目名】００３３
【補正方法】変更
【補正の内容】
【００３３】
また、前記光配向処理が、偏光レーザの光走査処理であるものとしてもよい。
【手続補正１５】
【補正対象書類名】明細書
【補正対象項目名】００３４
【補正方法】変更
【補正の内容】
【００３４】
また、前記異配向方位領域を形成する手段が局所的にキズをつける工程であるものとしてもよい。
【手続補正１６】
【補正対象書類名】明細書
【補正対象項目名】００３５
【補正方法】変更
【補正の内容】
【００３５】
また、前記キズをつける工程が、針状物体を前記基板に押圧し、その状態で基板面内に移動させる工程であるものとしてもよい。
【手続補正１７】
【補正対象書類名】明細書
【補正対象項目名】００３６
【補正方法】変更
【補正の内容】
【００３６】
また、前記基板は配向膜を有し、前記キズをつける工程が、前記配向膜を局所的に消失させる工程であるものとしてもよい。
【手続補正１８】
【補正対象書類名】明細書
【補正対象項目名】００３７
【補正方法】変更
【補正の内容】
【００３７】
また、前記基板は配向膜を有し、前記キズをつける工程が、局所的にレーザ光線を照射する工程であるものとしてもよい。
【手続補正１９】
【補正対象書類名】明細書
【補正対象項目名】００３８
【補正方法】変更
【補正の内容】
【００３８】
また、前記異配向方位領域の配向方位が他の配向領域の配向方位と９０度異なっているものとしてもよい。
【手続補正２０】
【補正対象書類名】明細書
【補正対象項目名】００３９
【補正方法】変更
【補正の内容】
【００３９】
また、前記キズの方位が他の配向領域の配向方位と９０度異なっているものとしてもよい。
【手続補正２１】
【補正対象書類名】明細書
【補正対象項目名】００４０
【補正方法】変更
【補正の内容】
【００４０】
また、前記キズが湾曲線であるものとしてもよい。
【手続補正２２】
【補正対象書類名】明細書
【補正対象項目名】００４１
【補正方法】変更
【補正の内容】
【００４１】
また、本発明に係る液晶表示素子の製造方法は、少なくとも１枚の基板と液晶層とを有し、局所的に他の領域と配向方向が異なっている異配向方位領域が存在する液晶表示素子の製造方法であって、前記異配向方位領域を形成する工程が他の配向方位を決定する配向処埋工程と異なっているものである。
【手続補正２３】
【補正対象書類名】明細書
【補正対象項目名】００４２
【補正方法】変更
【補正の内容】
【００４２】
この場合、ラビング処理が複数回行われているものとしてもよい。
【手続補正２４】
【補正対象書類名】明細書
【補正対象項目名】００４３
【補正方法】変更
【補正の内容】
【００４３】
また、立体障害を有し、ラビング処理が複数回、異なった方向に行われるものとしてもよい。
【手続補正２５】
【補正対象書類名】明細書
【補正対象項目名】００４４
【補正方法】変更
【補正の内容】
【００４４】
また、前記異配向方位領域を形成する工程が、基板上にキズをつける工程であるものとしてもよい。
【手続補正２６】
【補正対象書類名】明細書
【補正対象項目名】００４５
【補正方法】変更
【補正の内容】
【００４５】
また、前記異配向方位領域を形成する工程が、光配向処理工程であるものとしてもよい。
【手続補正２７】
【補正対象書類名】明細書
【補正対象項目名】００４６
【補正方法】変更
【補正の内容】
【００４６】
また、前記異配向方位領域を形成する工程が他の配向方位を決定する配向処理工程と同一工程であるものとしてもよい。
【手続補正２８】
【補正対象書類名】明細書
【補正対象項目名】００４７
【補正方法】変更
【補正の内容】
【００４７】
また、前記異配向方向領域を周期的に形成したものとしてもよい。
【手続補正２９】
【補正対象書類名】明細書
【補正対象項目名】００４８
【補正方法】変更
【補正の内容】
【００４８】
また、前記基板は画素を有し、前記異配向方向領域を複数画素ごとに形成したものとしてもよい。
【手続補正３０】
【補正対象書類名】明細書
【補正対象項目名】００４９
【補正方法】変更
【補正の内容】
【００４９】
また、前記基板は画素を有し、前記異配向方向領域を各画素ごとに形成したものとしてもよい。
【手続補正３１】
【補正対象書類名】明細書
【補正対象項目名】００５０
【補正方法】変更
【補正の内容】
【００５０】
また、前記異配向方向領域を不規則に形成したものとしてもよい。
【手続補正３２】
【補正対象書類名】明細書
【補正対象項目名】００５１
【補正方法】変更
【補正の内容】
【００５１】
また、前記基板は画素を有し、前記異配向方向領域を１００画素に１つ以上形成したものとしてもよい。
【手続補正３３】
【補正対象書類名】明細書
【補正対象項目名】００５２
【補正方法】変更
【補正の内容】
【００５２】
また、前記基板は画素を有し、前記異配向方向領域を１０画素に１つ以上形成したものとしてもよい。
【手続補正３４】
【補正対象書類名】明細書
【補正対象項目名】００５３
【補正方法】変更
【補正の内容】
【００５３】
また、前記液晶表示素子は少なくとも位相差板を有するものとしてもよい。
【手続補正３５】
【補正対象書類名】明細書
【補正対象項目名】００５４
【補正方法】変更
【補正の内容】
【００５４】
また、前記位相差板にはハイブリッド配向フィルムを有するものとしてもよい。
【手続補正３６】
【補正対象書類名】明細書
【補正対象項目名】００５５
【補正方法】変更
【補正の内容】
【００５５】
また、前記位相差板には少なくとも一軸性フィルムを有するものとしてもよい。
【手続補正３７】
【補正対象書類名】明細書
【補正対象項目名】００５６
【補正方法】変更
【補正の内容】
【００５６】
また、前記液晶表示素子はＯＣＢ型液晶表示素子であるものとしてもよい。
【手続補正３８】
【補正対象書類名】明細書
【補正対象項目名】００５７
【補正方法】変更
【補正の内容】
【００５７】
また、前記液晶は自己補償型構造の液晶配列をしているものとしてもよい。
【手続補正３９】
【補正対象書類名】明細書
【補正対象項目名】００５８
【補正方法】変更
【補正の内容】
【００５８】
また、前記液晶の、表示に用いる表示配向状態と電源オフ状態での初期配向状態が異なっており、初期配向状態から表示配向状態に配向を変化させる転移手段を有するものとしてもよい。
【手続補正４０】
【補正対象書類名】明細書
【補正対象項目名】００５９
【補正方法】変更
【補正の内容】
【００５９】
また、前記異配向方向領域にデフェクトが発生するものとしてもよい。
【手続補正４１】
【補正対象書類名】明細書
【補正対象項目名】００６０
【補正方法】変更
【補正の内容】
【００６０】
また、前記転移手段の作用中に、前記異配向方向領域にデフェクトが発生するものとしてもよい。
【手続補正４２】
【補正対象書類名】明細書
【補正対象項目名】００６１
【補正方法】変更
【補正の内容】
【００６１】
また、前記デフェクトが、一方の基板の近傍にスプレイ配向中心を有する領域と他方の基板近傍にスプレイ配向中心を有する領域との境界であるものとしてもよい。
【手続補正４３】
【補正対象書類名】明細書
【補正対象項目名】００６２
【補正方法】変更
【補正の内容】
【００６２】
また、前記異配向方位領域において、プレチルト角が変化しているものとしてもよい。
【手続補正４４】
【補正対象書類名】明細書
【補正対象項目名】００６３
【補正方法】変更
【補正の内容】
【００６３】
また、前記異配向方位領域の液晶の配向方向が、他の領域の配向領域の液晶の配向方向から４５度以上異なるものとしてもよい。
【手続補正４５】
【補正対象書類名】明細書
【補正対象項目名】００６４
【補正方法】変更
【補正の内容】
【００６４】
また、前記異配向方位領域の液晶の配向方向が、他の配向領域の液晶の配向方向に対し６０度以上異なるものとしてもよい。
【手続補正４６】
【補正対象書類名】明細書
【補正対象項目名】００６５
【補正方法】変更
【補正の内容】
【００６５】
また、前記異配向方位領域の液晶の配向方向が、他の配向領域の液晶の配向方向に対し９０度以下異なるものとしてもよい。
【手続補正４７】
【補正対象書類名】明細書
【補正対象項目名】００６６
【補正方法】変更
【補正の内容】
【００６６】
また、前記異配向方位領域が立体物と接するものとしてもよい。
【手続補正４８】
【補正対象書類名】明細書
【補正対象項目名】００６７
【補正方法】変更
【補正の内容】
【００６７】
また、前記異配向方位領域が転移核となるものとしてもよい。
【手続補正４９】
【補正対象書類名】明細書
【補正対象項目名】００６８
【補正方法】変更
【補正の内容】
【００６８】
また、前記異配向方位領域に電圧を印加するものとしてもよい。
【手続補正５０】
【補正対象書類名】明細書
【補正対象項目名】００６９
【補正方法】変更
【補正の内容】
【００６９】
また、前記異配向方位領域を画素電極上に形成するものとしてもよい。
【手続補正５１】
【補正対象書類名】明細書
【補正対象項目名】００７０
【補正方法】変更
【補正の内容】
【００７０】
また、前記異配向方位領域を補助容量電極上に形成するものとしてもよい。
【手続補正５２】
【補正対象書類名】明細書
【補正対象項目名】００７１
【補正方法】変更
【補正の内容】
【００７１】
また、前記異配向方位領域を遮蔽するものとしてもよい。
【手続補正５３】
【補正対象書類名】明細書
【補正対象項目名】００７２
【補正方法】変更
【補正の内容】
【００７２】
また、前記異配向方位領域をブラックマトリクス上に形成するものとしてもよい。
【手続補正５４】
【補正対象書類名】明細書
【補正対象項目名】００７３
【補正方法】変更
【補正の内容】
【００７３】
また、前記異配向方位領域を表示領域外に形成するものとしてもよい。
【手続補正５５】
【補正対象書類名】明細書
【補正対象項目名】００７４
【補正方法】変更
【補正の内容】
【００７４】
また、前記立体障害、柱状構造体、錐状構造体、又は山形状構造体が、柱スペーサを兼用するものとしてもよい。
【手続補正５６】
【補正対象書類名】明細書
【補正対象項目名】００７５
【補正方法】変更
【補正の内容】
【００７５】
また、前記立体障害、柱状構造体、錐状構造体、又は山形状構造体は、セル厚と同じ高さのものが存在するものとしてもよい。
【手続補正５７】
【補正対象書類名】明細書
【補正対象項目名】００７６
【補正方法】変更
【補正の内容】
【００７６】
また、前記立体障害、柱状構造体、錐状構造体、又は山形状構造体を形成する工程が、アクティブマトリクス基板の素子を形成する工程に含まれるものとしてもよい。
【手続補正５８】
【補正対象書類名】明細書
【補正対象項目名】００７７
【補正方法】変更
【補正の内容】
【００７７】
また、前記立体障害、柱状構造体、錐状構造体、又は山形状構造体が、断面形状において傾斜辺を有するものとしてもよい。
【手続補正５９】
【補正対象書類名】明細書
【補正対象項目名】００７８
【補正方法】変更
【補正の内容】
【００７８】
また、前記立体障害、柱状構造体、錐状構造体、又は山形状構造体が、複数の立体障害、柱状構造体、錐状構造体、又は山形状構造体の複合体であるものとしてもよい。
【手続補正６０】
【補正対象書類名】明細書
【補正対象項目名】００７９
【補正方法】変更
【補正の内容】
【００７９】
また、前記複合体の複数の立体障害、柱状構造体、錐状構造体、又は山形状構造体間の最小間隔が、ラビング布の繊維の最小径よりも大きいものとしてもよい。
【手続補正６１】
【補正対象書類名】明細書
【補正対象項目名】００８０
【補正方法】変更
【補正の内容】
【００８０】
また、前記複合体の複数の立体障害、柱状構造体、錐状構造体、又は山形状構造体間の最小間隔が、１０μｍ以上であるものとしてもよい。
【手続補正６２】
【補正対象書類名】明細書
【補正対象項目名】００８１
【補正方法】変更
【補正の内容】
【００８１】
また、前記複合体の複数の立体障害、柱状構造体、錐状構造体、又は山形状構造体間のラビング方向における距離が、２５μｍ以下であるものとしてもよい。
【手続補正６３】
【補正対象書類名】明細書
【補正対象項目名】００８２
【補正方法】変更
【補正の内容】
【００８２】
また、前記複合体の複数の立体障害、柱状構造体、錐状構造体、又は山形状構造体のうち、ラビング方向における奥側に位置するものが、ラビング方向における手前側に位置するのものより大きいものとしてもよい。
【手続補正６４】
【補正対象書類名】明細書
【補正対象項目名】００８３
【補正方法】変更
【補正の内容】
【００８３】
また、前記立体障害、柱状構造体、錐状構造体、又は山形状構造体によって生じたラビングの影領域が、他の立体障害、柱状構造体、錐状構造体、又は山形状構造体に接するものとしてもよい。
【手続補正６５】
【補正対象書類名】明細書
【補正対象項目名】００８４
【補正方法】変更
【補正の内容】
【００８４】
また、前記立体障害、柱状構造体、錐状構造体、又は山形状構造体の径が５μｍ以上であるものとしてもよい。
【手続補正６６】
【補正対象書類名】明細書
【補正対象項目名】００８５
【補正方法】変更
【補正の内容】
【００８５】
また、前記立体障害、柱状構造体、錐状構造体、又は山形状構造体の高さが、セル厚の半分以上であるものとしてもよい。
【手続補正６７】
【補正対象書類名】明細書
【補正対象項目名】００８６
【補正方法】変更
【補正の内容】
【００８６】
また、前記立体障害、柱状構造体、錐状構造体、又は山形状構造体の高さとセル厚との差異が１μｍ以下であるものとしてもよい。
【手続補正６８】
【補正対象書類名】明細書
【補正対象項目名】００８７
【補正方法】変更
【補正の内容】
【００８７】
また、前記異配向方位領域を形成する手段と前記異配向方位領域を保護する手段を有するものとしてもよい。
【手続補正６９】
【補正対象書類名】明細書
【補正対象項目名】００８８
【補正方法】変更
【補正の内容】
【００８８】
また、前記異配向方位領域を形成する手段と前記異配向方位領域を保護する手段が共に立体障害、柱状構造体、錐状構造体、又は山形状構造体であるものとしてもよい。
【手続補正７０】
【補正対象書類名】明細書
【補正対象項目名】００８９
【補正方法】変更
【補正の内容】
【００８９】
また、前記異配向方位領域を形成する手段と前記異配向方位領域を保護する手段との距離が立体障害、柱状構造体、錐状構造体、又は山形状構造体の高さの５倍以下であるものとしてもよい。
【手続補正７１】
【補正対象書類名】明細書
【補正対象項目名】００９０
【補正方法】変更
【補正の内容】
【００９０】
また、前記異配向方位領域を保護する手段の間隙部に前記異配向方位領域を形成する手段を配置するものとしてもよい。
【手続補正７２】
【補正対象書類名】明細書
【補正対象項目名】００９１
【補正方法】変更
【補正の内容】
【００９１】
また、前記立体障害、柱状構造体、錐状構造体、又は山形状構造体が、ラビングが流れやすい形状であるものとしてもよい。
【手続補正７３】
【補正対象書類名】明細書
【補正対象項目名】００９２
【補正方法】変更
【補正の内容】
【００９２】
また、前記立体障害、柱状構造体、錐状構造体、山形状構造体の側面が、ラビング方向に対し複数の傾斜角を有しているものとしてもよい。
【手続補正７４】
【補正対象書類名】明細書
【補正対象項目名】００９３
【補正方法】変更
【補正の内容】
【００９３】
また、前記複数の傾斜角の絶対値が４５度以上９０度以下であるものとしてもよい。
【手続補正７５】
【補正対象書類名】明細書
【補正対象項目名】００９４
【補正方法】変更
【補正の内容】
【００９４】
また、前記立体障害、柱状構造体、錐状構造体、又は山形状構造体の横断面が略菱形形状であるものとしてもよい。
【手続補正７６】
【補正対象書類名】明細書
【補正対象項目名】００９５
【補正方法】変更
【補正の内容】
【００９５】
また、前記立体障害、柱状構造体、錐状構造体、又は山形状構造体が、画素間に跨って形成されたものとしてもよい。
【手続補正７７】
【補正対象書類名】明細書
【補正対象項目名】００９６
【補正方法】変更
【補正の内容】
【００９６】
また、前記立体障害、柱状構造体、錐状構造体、又は山形状構造体がソース線上に形成されたものとしてもよい。
【手続補正７８】
【補正対象書類名】明細書
【補正対象項目名】００９７
【補正方法】変更
【補正の内容】
【００９７】
また、前記立体障害、柱状構造体、錐状構造体、又は山形状構造体が、ラビング方向に連続して複数形成されたものとしてもよい。
【手続補正７９】
【補正対象書類名】明細書
【補正対象項目名】００９８
【補正方法】変更
【補正の内容】
【００９８】
また、前記立体障害、柱状構造体、錐状構造体、又は山形状構造体が、ラビング方向に互いに平行に傾斜するように並んで複数形成されたものとしてもよい。
【手続補正８０】
【補正対象書類名】明細書
【補正対象項目名】００９９
【補正方法】変更
【補正の内容】
【００９９】
また、前記立体障害、柱状構造体、錐状構造体、又は山形状構造体が、デフェクト保持機能を有するものとしてもよい。
【手続補正８１】
【補正対象書類名】明細書
【補正対象項目名】０１００
【補正方法】変更
【補正の内容】
【０１００】
また、前記デフェクトが一方の基板の近傍にスプレイ配向中心を有する領域と他方の基板の近傍にスプレイ配向中心を有する領域との境界であるものとしてもよい。
【手続補正８２】
【補正対象書類名】明細書
【補正対象項目名】０１０１
【補正方法】変更
【補正の内容】
【０１０１】
また、前記立体障害、柱状構造体、錐状構造体、又は山形状構造体に沿って転移が成長するものとしてもよい。
【手続補正８３】
【補正対象書類名】明細書
【補正対象項目名】０１０２
【補正方法】変更
【補正の内容】
【０１０２】
また、前記基板上を平滑化する手段を有したものとしてもよい。また、本発明に係る液晶表示素子は、少なくとも１枚の基板と液晶層とを有する液晶表示素子であり、前記液晶層がパラレル配向領域と捩れ配向領域とを有するものである。
【手続補正８４】
【補正対象書類名】明細書
【補正対象項目名】０１０３
【補正方法】変更
【補正の内容】
【０１０３】
この場合、前記捩れ配向領域における液晶層中央部分の液晶分子の配向方位が、パラレル配向領域の液晶層中央部分の液晶分子の配向方位と異なっているものとしてもよい。
【手続補正８５】
【補正対象書類名】明細書
【補正対象項目名】０１０４
【補正方法】変更
【補正の内容】
【０１０４】
また、前記捩れ配向領域における液晶層中央部分の液晶分子の配向方位が分布を有しているものとしてもよい。
【手続補正８６】
【補正対象書類名】明細書
【補正対象項目名】０１０５
【補正方法】変更
【補正の内容】
【０１０５】
また、前記捩れ配向領域における液晶層中央部分の液晶分子の配向方位が、パラレル配向領域の液晶層中央部分の液晶分子の配向方位と略９０度異なっているものとしてもよい。
【手続補正８７】
【補正対象書類名】明細書
【補正対象項目名】０１０６
【補正方法】変更
【補正の内容】
【０１０６】
また、前記捩れ配向領域を複数種形成するものとしてもよい。
【手続補正８８】
【補正対象書類名】明細書
【補正対象項目名】０１０７
【補正方法】変更
【補正の内容】
【０１０７】
また、前記複数種の捩れ配向領域に右回り領域と左回り領域とが存在するものとしてもよい。
【手続補正８９】
【補正対象書類名】明細書
【補正対象項目名】０１０８
【補正方法】変更
【補正の内容】
【０１０８】
また、前記複数種の捩れ配向領域同士が接触するものとしてもよい。
【手続補正９０】
【補正対象書類名】明細書
【補正対象項目名】０１０９
【補正方法】変更
【補正の内容】
【０１０９】
また、前記右回りの捩れ配向領域と左回りの捩れ配向領域とが接触するものとしてもよい。
【手続補正９１】
【補正対象書類名】明細書
【補正対象項目名】０１１０
【補正方法】変更
【補正の内容】
【０１１０】
また、前記捩れ配向領域がスプレイツイスト配向であるものとしてもよい。
【手続補正９２】
【補正対象書類名】明細書
【補正対象項目名】０１１１
【補正方法】変更
【補正の内容】
【０１１１】
また、前記異配向方位領域の配向処理方向が、他領域の配向処理方向と９０度以上異なっているものとしてもよい。
【手続補正９３】
【補正対象書類名】明細書
【補正対象項目名】０１１２
【補正方法】変更
【補正の内容】
【０１１２】
また、前記捩れ配向領域が通常配列ツイスト配向であるものとしてもよい。
【手続補正９４】
【補正対象書類名】明細書
【補正対象項目名】０１１３
【補正方法】変更
【補正の内容】
【０１１３】
また、前記液晶層の液晶にカイラル剤が添加されているものとしてもよい。
【手続補正９５】
【補正対象書類名】明細書
【補正対象項目名】０１１４
【補正方法】変更
【補正の内容】
【０１１４】
また、本発明に係る液晶表示素子は、少なくとも１枚の基板と液晶層とを有する液晶表示素子であり、前記基板には配向の処理がなされており、前記配向方向と異なる方向に、局所的配向をしている領域が存在するものである。
【手続補正９６】
【補正対象書類名】明細書
【補正対象項目名】０１１５
【補正方法】変更
【補正の内容】
【０１１５】
また、本発明に係る液晶表示素子は、一対の基板と液晶層とを有する液晶表示素子であり、前記一対の基板にはともに略平行な配向の処理がなされており、前記配向方向と異なる方向に、局所的配向をしている領域が存在するものである。
この場合、前記基板は立体物を有し、前記局所的配向をしている領域が該立体物の周辺に存在するものとしてもよい。
【手続補正９７】
【補正対象書類名】明細書
【補正対象項目名】０１１６
【補正方法】変更
【補正の内容】
【０１１６】
また、前記立体物は垂直配向性表面を有するものとしてもよい。
【手続補正９８】
【補正対象書類名】明細書
【補正対象項目名】０１１７
【補正方法】変更
【補正の内容】
【０１１７】
また、前記立体物は撥水性表面を有するものとしてもよい。
【手続補正９９】
【補正対象書類名】明細書
【補正対象項目名】０１１８
【補正方法】変更
【補正の内容】
【０１１８】
また、前記局所的配向をしている領域は配向処理されていないものとしてもよい。
【手続補正１００】
【補正対象書類名】明細書
【補正対象項目名】０１１９
【補正方法】変更
【補正の内容】
【０１１９】
また、前記局所的配向をしている領域は配向処理が他の領域に比べ弱いものとしてもよい。
【手続補正１０１】
【補正対象書類名】明細書
【補正対象項目名】０１２０
【補正方法】変更
【補正の内容】
【０１２０】
また、前記立体物が立体物の複合体からなるものとしてもよい。
【手続補正１０２】
【補正対象書類名】明細書
【補正対象項目名】０１２１
【補正方法】変更
【補正の内容】
【０１２１】
また、本発明に係る液晶表示素子は、液晶を有し、前記液晶の電圧を印加しない配向状態を無電界配向状態とし、表示に用いる配向状態を表示配向状態とするとき、無電界配向状態と表示配向状態とが異なる液晶表示素子であり、前記表示配向状態に転移する手段を有し、前記液晶の厚みを規定する柱スペーサを有し、前記柱スペーサの少なくとも一部が前記転移の核になるものである。
【手続補正１０３】
【補正対象書類名】明細書
【補正対象項目名】０１２２
【補正方法】変更
【補正の内容】
【０１２２】
この場合、前記液晶表示素子がＯＣＢ型液晶表示素子であるものとしてもよい。
【手続補正１０４】
【補正対象書類名】明細書
【補正対象項目名】０１２３
【補正方法】変更
【補正の内容】
【０１２３】
また、前記液晶表示素子は複数の画素を有し、前記柱スペーサは各画素ごとに形成されたものとしてもよい。
【手続補正１０５】
【補正対象書類名】明細書
【補正対象項目名】０１２４
【補正方法】変更
【補正の内容】
【０１２４】
また、本発明に係る液晶表示素子は、一対の基板を有し、少なくとも−方の前記基板に複数の立体物を形成した液晶表示素子であり、前記複数の立体物の一部は前記一対の基板の双方に接するものと一方の基板にのみ接するものとが存在するものである。
【手続補正１０６】
【補正対象書類名】明細書
【補正対象項目名】０１２５
【補正方法】変更
【補正の内容】
【０１２５】
この場合、前記複数の立体物の高さは互いに略等しいものとしてもよい。
【手続補正１０７】
【補正対象書類名】明細書
【補正対象項目名】０１２６
【補正方法】変更
【補正の内容】
【０１２６】
また、前記基板の前記立体物に対応する個所の一部に凹部を形成するものとしてもよい。
【手続補正１０８】
【補正対象書類名】明細書
【補正対象項目名】０１２７
【補正方法】変更
【補正の内容】
【０１２７】
また、前記凹部を形成する手段が絶縁物除去手段であるものとしてもよい。
【手続補正１０９】
【補正対象書類名】明細書
【補正対象項目名】０１２８
【補正方法】変更
【補正の内容】
【０１２８】
また、前記基板の前記立体物に対応する個所の一部に凸部を形成するものとしてもよい。
【手続補正１１０】
【補正対象書類名】明細書
【補正対象項目名】０１２９
【補正方法】変更
【補正の内容】
【０１２９】
また、前記凸部が形成する手段がカラーフィルタの重ね合わせであるものとしてもよい。
【手続補正１１１】
【補正対象書類名】明細書
【補正対象項目名】０１３０
【補正方法】変更
【補正の内容】
【０１３０】
また、本発明に係る液晶表示装置は、液晶を有し、前記液晶の電圧を印加しない配向状態を無電界配向状態とし、表示に用いる配向状態を表示配向状態とするとき、無電界配向状態と表示配向状態が異なる液晶表示装置であり、前記表示配向状態に転移する電圧印加手段を有し、前記電圧印加手段の電圧値が１０Ｖ以下であるものである。
【手続補正１１２】
【補正対象書類名】明細書
【補正対象項目名】０１３１
【補正方法】変更
【補正の内容】
【０１３１】
また、本発明に係る液晶表示装置は、液晶を有し、前記液晶の電圧を印加しない配向状熊を無電界配向状態とし、表示に用いる配向状態を表示配向状態とするとき、無電界配向状態と表示配向状態とが異なる液晶表示装置であり、前記表示配向状態に転移させる機能を別途有さないものである。
【手続補正１１３】
【補正対象書類名】明細書
【補正対象項目名】０１３２
【補正方法】変更
【補正の内容】
【０１３２】
この場合、通常の表示を行うだけで前記表示配向状熊に転移するものとしてもよい。
【手続補正１１４】
【補正対象書類名】明細書
【補正対象項目名】０１３３
【補正方法】変更
【補正の内容】
【０１３３】
また、前記液晶表示装置がＯＣＢ型液晶表示装置であるものとしてもよい。
【手続補正１１５】
【補正対象書類名】明細書
【補正対象項目名】０１３４
【補正方法】変更
【補正の内容】
【０１３４】
また、前記表示配向状態に転移するための核を有するものとしてもよい。
【手続補正１１６】
【補正対象書類名】明細書
【補正対象項目名】０１３５
【補正方法】変更
【補正の内容】
【０１３５】
また、前記核が柱スペーサによる転移核であるものとしてもよい。
【手続補正１１７】
【補正対象書類名】明細書
【補正対象項目名】０１３６
【補正方法】変更
【補正の内容】
【０１３６】
また、前記核が立体物の複合体であるあるものとしてもよい。
【手続補正１１８】
【補正対象書類名】明細書
【補正対象項目名】０１３７
【補正方法】変更
【補正の内容】
【０１３７】
また、本発明に係る液晶表示素子用基板は、立体物を形成した基板であり、前記立体物は複数の立体物が複合したものである。
【手続補正１１９】
【補正対象書類名】明細書
【補正対象項目名】０１３８
【補正方法】変更
【補正の内容】
【０１３８】
この場合、前記立体物の少なくとも一部は柱スペーサとして機能するものとしてもよい。
【手続補正１２０】
【補正対象書類名】明細書
【補正対象項目名】０１３９
【補正方法】変更
【補正の内容】
【０１３９】
また、前記基板上に平坦化処理が施されているものとしてもよい。
【手続補正１２１】
【補正対象書類名】明細書
【補正対象項目名】０１４０
【補正方法】変更
【補正の内容】
【０１４０】
また、前記立体物の平面形状が異方性を有しているものとしてもよい。
【手続補正１２２】
【補正対象書類名】明細書
【補正対象項目名】０１４１
【補正方法】変更
【補正の内容】
【０１４１】
また、前記立体物が各画素ごとに形成されたものとしてもよい。
【手続補正１２３】
【補正対象書類名】明細書
【補正対象項目名】０１４２
【補正方法】変更
【補正の内容】
【０１４２】
また、前記基板の前記立体物に対応する個所の一部に凹部を形成するものとしてもよい。
【手続補正１２４】
【補正対象書類名】明細書
【補正対象項目名】０１４３
【補正方法】変更
【補正の内容】
【０１４３】
また、前記凹部を形成する手段が絶縁膜除去手段であるものとしてもよい。
【手続補正１２５】
【補正対象書類名】明細書
【補正対象項目名】０１４４
【補正方法】変更
【補正の内容】
【０１４４】
また、前記基板の前記立体物に対応する個所の一部に凸部を形成するものとしてもよい。
【手続補正１２６】
【補正対象書類名】明細書
【補正対象項目名】０１４５
【補正方法】変更
【補正の内容】
【０１４５】
また、前記凸部を形成する手段がカラーフィルタの重ね合わせであるものとしてもよい。
【手続補正１２７】
【補正対象書類名】明細書
【補正対象項目名】０１４６
【補正方法】変更
【補正の内容】
【０１４６】
また、本発明に係る液晶表示素子は、少なくとも１枚の基板と液晶層とを有する液晶表示素子であり、前記基板には配向処理がなされており、前記配向処理において、複数方向の配向処理方向が行われ、前記液晶層の液晶は、前記配向処理方向に従ってそれぞれパラレル配向しているものである。
【手続補正１２８】
【補正対象書類名】明細書
【補正対象項目名】０１４７
【補正方法】変更
【補正の内容】
【０１４７】
この場合、前記複数方向の配向処理方向が互いに略９０度異なっているものとしてもよい。
【手続補正１２９】
【補正対象書類名】明細書
【補正対象項目名】０１４８
【補正方法】変更
【補正の内容】
【０１４８】
また、前記複数の配向処理方向が、画素内に複数存在するものとしてもよい。
【手続補正１３０】
【補正対象書類名】明細書
【補正対象項目名】０１４９
【補正方法】変更
【補正の内容】
【０１４９】
また、前記複数の配向処理方向が、画素ごとに異なって存在するものとしてもよい。
【手続補正１３１】
【補正対象書類名】明細書
【補正対象項目名】０１５０
【補正方法】変更
【補正の内容】
【０１５０】
また、前記複数の配向処理方向を実現する配向処理が光配向処理であるものとしてもよい。
【手続補正１３２】
【補正対象書類名】明細書
【補正対象項目名】０１５１
【補正方法】変更
【補正の内容】
【０１５１】
また、偏光板を有し、前記偏光板の偏光軸の方向が前記複数の配向処理方向に対し４５度傾いているものとしてもよい。
【手続補正１３３】
【補正対象書類名】明細書
【補正対象項目名】０１５２
【補正方法】変更
【補正の内容】
【０１５２】
また、前記液晶表示素子がＯＣＢ型液晶表示素子であるものとしてもよい。
【手続補正１３４】
【補正対象書類名】明細書
【補正対象項目名】０１５３
【補正方法】変更
【補正の内容】
【０１５３】
また、本発明に係る液晶表表示素子は、無電圧下で第１の配向状態になるとともに表示用の電圧下で第２の配向状態になり、該第１、第２の配向状態間にエネルギ障壁が存在する液晶と、前記液晶に電圧を印加する電圧印加手段とを備えた液晶表示素子において、前記第２の配向状態との間に存在するエネルギ障壁が前記第１、第２の配向状態間に存在するエネルギ障壁より小さい第３の配向状態からなる領域を、無電圧下において前記液晶中に部分的に有するものである。かかる構成とすると、第３の配向状態からなる領域が転移核となるので、より迅速、低電圧かつ確実に第２の配向状態に転移させることができる。
この場合、前記第３の配向状態が無電圧下における定常状態であるものとしてもよい。
【手続補正１３５】
【補正対象書類名】明細書
【補正対象項目名】０１５４
【補正方法】変更
【補正の内容】
【０１５４】
また、前記第３の配向状態が、前記液晶を挟持する一対の基板の少なくとも一方に施された局所的な配向処理によって実現されたものであるものとしてもよい。
【手続補正１３６】
【補正対象書類名】明細書
【補正対象項目名】０１５５
【補正方法】変更
【補正の内容】
【０１５５】
また、前記第３の配向状態は、前記第１、第２の配向状態相互間の転移の過渡状態が無電圧下まで保存されてなるものであるものとしてもよい。
【手続補正１３７】
【補正対象書類名】明細書
【補正対象項目名】０１５６
【補正方法】変更
【補正の内容】
【０１５６】
また、前記過渡状態は、前記第２の配向状態から第１の配向への転移における過渡状態であるものとしてもよい。かかる構成とすると、格段に、迅速、低電圧、かつ確実に第２の配向状態に転移させることが可能となる。
【手続補正１３８】
【補正対象書類名】明細書
【補正対象項目名】０１５７
【補正方法】変更
【補正の内容】
【０１５７】
また、前記液晶を挟持する一対の基板と、該基板の内面に形成された、全体として該基板に平行な面内にて周回するように三次元領域を囲繞しかつ一部に該三次元領域を囲繞していない欠落部を有する立体構造物からなる不完全囲繞体とを有し、前記過渡状態が前記不完全囲繞体により保存されているものとしてもよい。
【手続補正１３９】
【補正対象書類名】明細書
【補正対象項目名】０１５８
【補正方法】変更
【補正の内容】
【０１５８】
また、前記第３の配向状態は、前記第２の配向状態の少なくとも一部が無電圧下まで保存されてなるものとしてもよい。
【手続補正１４０】
【補正対象書類名】明細書
【補正対象項目名】０１５９
【補正方法】変更
【補正の内容】
【０１５９】
また、前記第２の配向状態の少なくとも一部が、前記液晶中に存在する立体物の液晶分子配向機能により保存されているものとしてもよい。
【手続補正１４１】
【補正対象書類名】明細書
【補正対象項目名】０１６０
【補正方法】変更
【補正の内容】
【０１６０】
また、前記第２の配向状態の少なくとも一部は、前記液晶中に存在する網目構造体により保存されているものとしてもよい。
【手続補正１４２】
【補正対象書類名】明細書
【補正対象項目名】０１６１
【補正方法】変更
【補正の内容】
【０１６１】
また、電圧を印加することにより、前記液晶の配向状態を前記第１の配向状熊から前記第２の配向状態に変化させる転移手段を有するものとしてもよい。
【手続補正１４３】
【補正対象書類名】明細書
【補正対象項目名】０１６２
【補正方法】変更
【補正の内容】
【０１６２】
また、前記第１の配向状態から前記第２の配向状態に変化し始める箇所を配向転移発生箇所とすると、前記第３の配向状態の領域が配向転移発生箇所と略一致するものとしてもよい。
【手続補正１４４】
【補正対象書類名】明細書
【補正対象項目名】０１６３
【補正方法】変更
【補正の内容】
【０１６３】
また、前記液晶表示素子がＯＣＢ型液晶表示素子であるものとしてもよい。
【手続補正１４５】
【補正対象書類名】明細書
【補正対象項目名】０１６４
【補正方法】変更
【補正の内容】
【０１６４】
また、前記第３の配向状態がツイスト状態であるものとしてもよい。
【手続補正１４６】
【補正対象書類名】明細書
【補正対象項目名】０１６５
【補正方法】変更
【補正の内容】
【０１６５】
また、前記第３の配向状態のツイスト角が９０度以上であるものとしてもよい。
【手続補正１４７】
【補正対象書類名】明細書
【補正対象項目名】０１６６
【補正方法】変更
【補正の内容】
【０１６６】
また、前記第３の配向状態のツイスト角が１８０度に略等しいものとしてもよい。
【手続補正１４８】
【補正対象書類名】明細書
【補正対象項目名】０１６７
【補正方法】変更
【補正の内容】
【０１６７】
また、前記第３の配向状態がべンド配向状態であるものとしてもよい。
【手続補正１４９】
【補正対象書類名】明細書
【補正対象項目名】０１６８
【補正方法】変更
【補正の内容】
【０１６８】
また、前記第３の配向状態の領域を隠すものとしてもよい。
【手続補正１５０】
【補正対象書類名】明細書
【補正対象項目名】０１６９
【補正方法】変更
【補正の内容】
【０１６９】
また、前記第３の配向状態の領域を表示画素の外部に形成するものとしてもよい。
【手続補正１５１】
【補正対象書類名】明細書
【補正対象項目名】０１７０
【補正方法】変更
【補正の内容】
【０１７０】
また、前記第３の配向状態の領域をブラックマトリクス上に作るものとしてもよい。
【手続補正１５２】
【補正対象書類名】明細書
【補正対象項目名】０１７１
【補正方法】変更
【補正の内容】
【０１７１】
また、前記第３の配向状態の領域に電圧を印加する電圧印加手段を有するものとしてもよい。
【手続補正１５３】
【補正対象書類名】明細書
【補正対象項目名】０１７２
【補正方法】変更
【補正の内容】
【０１７２】
また、前記基板の一方がアクティブマトリクス基板であり、前記アクティブマトリクス基板は補助容量を有し、前記補助容量の電極上に前記第３の配向状態を形成するものとしてもよい。
【手続補正１５４】
【補正対象書類名】明細書
【補正対象項目名】０１７３
【補正方法】変更
【補正の内容】
【０１７３】
また、前記第３の配向状態の領域を画素電極上に形成するものとしてもよい。
【手続補正１５５】
【補正対象書類名】明細書
【補正対象項目名】０１７４
【補正方法】変更
【補正の内容】
【０１７４】
また、本発明に係る液晶表示素子は、対向する一対の基板間に液晶層が配置され、前記基板の内面に、全体として該基板に平行な面内にて周回するように三次元領域を囲繞しかつ一部に該三次元領域を囲繞していない欠落部を有する立体構造物からなる不完全囲繞体が形成されたものである。かかる構成とすると、液晶層が表示用の配向状態にあるとき電圧を瞬時にオフすることにより、上記三次元領域に表示用の配向状態から無電圧時の配向状態への過渡的配向状態を保存することができる。よって、再度、表示用の電圧を印加することにより、液晶表示素子を、容易に表示用の配向状態に転移させることができる。
【手続補正１５６】
【補正対象書類名】明細書
【補正対象項目名】０１７５
【補正方法】変更
【補正の内容】
【０１７５】
この場合、前記不完全囲繞体の高さが、前記液晶層の厚みの半分以上であるものとしてもよい。
【手続補正１５７】
【補正対象書類名】明細書
【補正対象項目名】０１７６
【補正方法】変更
【補正の内容】
【０１７６】
また、前記不完全囲繞体の高さが、前記液晶層の厚みと略等しいものとしてもよい。
【手続補正１５８】
【補正対象書類名】明細書
【補正対象項目名】０１７７
【補正方法】変更
【補正の内容】
【０１７７】
また、前記不完全囲繞体が、前記液晶層の厚みを保つために設けられた柱スペーサであるものとしてもよい。
【手続補正１５９】
【補正対象書類名】明細書
【補正対象項目名】０１７８
【補正方法】変更
【補正の内容】
【０１７８】
また、前記不完全囲繞体に囲まれた三次元領域は、前記不完全囲繞体に囲まれない領域と少なくとも前記欠落部によって繋っているものとしてもよい。
【手続補正１６０】
【補正対象書類名】明細書
【補正対象項目名】０１７９
【補正方法】変更
【補正の内容】
【０１７９】
また、前記三次元領域は、前記不完全囲繞体に少なくとも３方向を囲まれているものとしてもよい。
【手続補正１６１】
【補正対象書類名】明細書
【補正対象項目名】０１８０
【補正方法】変更
【補正の内容】
【０１８０】
また、前記不完全囲繞体の前記基板面への射影形状が、間隙を有する入江構造をなしているものとしてもよい。
【手続補正１６２】
【補正対象書類名】明細書
【補正対象項目名】０１８１
【補正方法】変更
【補正の内容】
【０１８１】
また、前記不完全囲繞体の前記基板面への射影形状が、略Ｕ字構造をなしているものとしてもよい。
【手続補正１６３】
【補正対象書類名】明細書
【補正対象項目名】０１８２
【補正方法】変更
【補正の内容】
【０１８２】
また、前記不完全囲繞体が、前記一対の基板間にて凝集された複数のビーズスペーサで構成されているものとしてもよい。
【手続補正１６４】
【補正対象書類名】明細書
【補正対象項目名】０１８３
【補正方法】変更
【補正の内容】
【０１８３】
また、前記不完全囲繞体が、周壁に貫通孔又は切欠き部を有する筒状体で構成されているものとしてもよい。
【手続補正１６５】
【補正対象書類名】明細書
【補正対象項目名】０１８４
【補正方法】変更
【補正の内容】
【０１８４】
また、前記不完全囲繞体に囲まれた三次元領域の径が厚みの５倍以下であるものとしてもよい。
【手続補正１６６】
【補正対象書類名】明細書
【補正対象項目名】０１８５
【補正方法】変更
【補正の内容】
【０１８５】
また、前記不完全囲繞体に囲まれた三次元領域の径が前記液晶層の厚み以下であるものとしてもよい。
【手続補正１６７】
【補正対象書類名】明細書
【補正対象項目名】０１８６
【補正方法】変更
【補正の内容】
【０１８６】
また、前記不完全囲繞体に囲まれた三次元領域の径が２５μｍ以下であるものとしてもよい。
【手続補正１６８】
【補正対象書類名】明細書
【補正対象項目名】０１８７
【補正方法】変更
【補正の内容】
【０１８７】
また、前記不完全囲繞体に囲まれた部分の大きさが５μｍ以下であるものとしてもよい。
【手続補正１６９】
【補正対象書類名】明細書
【補正対象項目名】０１８８
【補正方法】変更
【補正の内容】
【０１８８】
また、前記不完全囲繞体は、前記液晶層の液晶分子が該不完全囲繞体の壁に対して平行に配向する性質を有するものとしてもよい。
【手続補正１７０】
【補正対象書類名】明細書
【補正対象項目名】０１８９
【補正方法】変更
【補正の内容】
【０１８９】
また、前記不完全囲繞体の色が黒く、光を透過しないものとしてもよい。
【手続補正１７１】
【補正対象書類名】明細書
【補正対象項目名】０１９０
【補正方法】変更
【補正の内容】
【０１９０】
また、前記不完全囲繞体の外周面が、基部から先端部に向け内方に傾斜しているものとしてもよい。
【手続補正１７２】
【補正対象書類名】明細書
【補正対象項目名】０１９１
【補正方法】変更
【補正の内容】
【０１９１】
また、前記第３の配向状態が、前記第２の配向状態において表示用の電圧をオフすることにより生成されたものであるものとしてもよい。
【手続補正１７３】
【補正対象書類名】明細書
【補正対象項目名】０１９２
【補正方法】変更
【補正の内容】
【０１９２】
また、前記基板に画素を有し、画素において前記第３の配向状態の領域が生成される確率が５％以上であるものとしてもよい。
【手続補正１７４】
【補正対象書類名】明細書
【補正対象項目名】０１９３
【補正方法】変更
【補正の内容】
【０１９３】
また、前記第３の配向領域が室温放置で２４時間以上保持されるものとしてもよい。
【手続補正１７５】
【補正対象書類名】明細書
【補正対象項目名】０１９４
【補正方法】変更
【補正の内容】
【０１９４】
また、本発明に係る液晶表示素子の製造方法は、無電圧下で第１の配向状態になるとともに表示用の電圧下で第２の配向状態になり、該第１、第２の配向状態間にエネルギ障壁が存在する液晶と、前記液晶に電圧を印加する電圧印加手段と、前記液晶中に配置され液晶分子配向機能を有する立体物とを備え、前記第２の配向状態の少なくとも一部からなる領域を、無電圧下において前記液晶中に部分的に有する液晶表示素子の製造方法であって、前記液晶を等方相まで加熱し、該加熱した液晶に電圧を印加しながら徐冷することにより、前記立体物の周辺に前記第2の配向状態の少なくとも一部からなる領域を形成するも
のである。
【手続補正１７６】
【補正対象書類名】明細書
【補正対象項目名】０１９５
【補正方法】変更
【補正の内容】
【０１９５】
また、本発明に係る液晶表示素子の製造方法は、無電圧下で第１の配向状態になるとともに表示用の電圧下で第２の配向状態になり、該第１、第２の配向状態間にエネルギ障壁が存在する液晶と、前記液晶に電圧を印加する電圧印加手段とを備え、前記第２の配向状態との間に存在するエネルギ障壁が前記第１、第２の配向状態間に存在するエネルギ障壁より小さい第３の配向状態からなる領域を、無電圧下において前記液晶中に部分的に有する液晶表示素子の製造方法であって、前記表示用の電圧を印加した状態で前記液晶内に微細な網目構造を形成し、それにより、該網目構造中に前記第３の配向状態の領域を形成するものである。
【手続補正１７７】
【補正対象書類名】明細書
【補正対象項目名】０１９６
【補正方法】変更
【補正の内容】
【０１９６】
また、本発明に係る液晶表示素子は、基板間に液晶を挟持した液晶表示素子であり、前記基板間の間隙を所定に保つための柱スペーサを有し、該柱スペーサは、表示領域以外の領域に形成された表示領域外柱スペーサを含み、該表示領域外柱スペーサを形成する領域の基板高さを調整する手段を有するものである。
【手続補正１７８】
【補正対象書類名】明細書
【補正対象項目名】０１９７
【補正方法】変更
【補正の内容】
【０１９７】
この場合、前記基板高さを調整する手段がダミーパターンの形成であるものとしてもよい。
【手続補正１７９】
【補正対象書類名】明細書
【補正対象項目名】０１９８
【補正方法】変更
【補正の内容】
【０１９８】
また、前記表示領域外柱スペーサの密度が、表示領域の柱スペーサの密度より小さいものとしてもよい。
【手続補正１８０】
【補正対象書類名】明細書
【補正対象項目名】０１９９
【補正方法】変更
【補正の内容】
【０１９９】
また、前記表示領域外柱スペーサの形成領域に凸部を形成しているものとしてもよい。
【手続補正１８１】
【補正対象書類名】明細書
【補正対象項目名】０２００
【補正方法】変更
【補正の内容】
【０２００】
また、前記異配向方位領域を形成する手段が、横方向電界を印加する手段であるものとしてもよい（請求項５）。
【手続補正１８２】
【補正対象書類名】明細書
【補正対象項目名】０２０１
【補正方法】変更
【補正の内容】
【０２０１】
また、前記横方向電界に、ラビング方向に対して右向き成分を有する右傾斜領域と左向き成分を有する左傾斜領域とを少なくとも有するものとしてもよい（請求項６）。
【手続補正１８３】
【補正対象書類名】明細書
【補正対象項目名】０２０２
【補正方法】変更
【補正の内容】
【０２０２】
また、前記右傾斜領域と左傾斜領域とが接する領域を有するものとしてもよい（請求項７）。
【手続補正１８４】
【補正対象書類名】明細書
【補正対象項目名】０２０３
【補正方法】変更
【補正の内容】
【０２０３】
また、前記右傾斜領域と左傾斜領域とが接する領域が転移核として作用するものとしてもよい（請求項８）。
【手続補正１８５】
【補正対象書類名】明細書
【補正対象項目名】０２０４
【補正方法】変更
【補正の内容】
【０２０４】
また、前記異配向方位領域を形成する期間が、転移電圧を印加している期間であるものとしてもよい（請求項９）。
【手続補正１８６】
【補正対象書類名】明細書
【補正対象項目名】０２０５
【補正方法】変更
【補正の内容】
【０２０５】
また、前記横方向電界がゲート線と画素電極との間の横方向電界であるものとしてもよい（請求項１０）。
【手続補正１８７】
【補正対象書類名】明細書
【補正対象項目名】０２０６
【補正方法】変更
【補正の内容】
【０２０６】
また、前記横方向電界がソース線と画素電極との間の横方向電界であるものとしてもよい（請求項１１）。
【手続補正１８８】
【補正対象書類名】明細書
【補正対象項目名】０２０７
【補正方法】変更
【補正の内容】
【０２０７】
また、前記横方向電界を発生させるための部材間の際間がジグザグ構造を有しているものとしてもよい（請求項１２）。
【手続補正１８９】
【補正対象書類名】明細書
【補正対象項目名】０２０８
【補正方法】変更
【補正の内容】
【０２０８】
また、前記ジグザグ構造の屈折点間の部分を構成する直線の傾斜角度が、ラビング方向に対し４５度以上傾斜しているものとしてもよい（請求項１３）。
【手続補正１９０】
【補正対象書類名】明細書
【補正対象項目名】０２０９
【補正方法】変更
【補正の内容】
【０２０９】
また、前記ジグザグ構造のピッチが３０μｍ以上であるものとしてもよい（請求項１４）。
【手続補正１９１】
【補正対象書類名】明細書
【補正対象項目名】０２１０
【補正方法】変更
【補正の内容】
【０２１０】
また、前記ジグザグ構造のピッチが画素のピッチ以下であるものとしてもよい（請求項１５）。
【手続補正１９２】
【補正対象書類名】明細書
【補正対象項目名】０２１１
【補正方法】変更
【補正の内容】
【０２１１】
また、前記横方向電界を発生させるための部材間の隙間が４μｍ以上、２０μｍ以下であるものとしてもよい（請求項１６）。
【手続補正１９３】
【補正対象書類名】明細書
【補正対象項目名】０２１２
【補正方法】変更
【補正の内容】
【０２１２】
また、本発明に係る液晶表示素子は、対向する一対の基板間に液晶層が配置され、一方の前記基板上にソース線、ゲート線、及び画素電極が形成され、他方の前記基板上に対向電極が形成された液晶表示素子であって、前記画素電極と前記ソース線及びゲート線のうちの一方との相隣合う縁部同士が、平面視において、所定の隙間を有して互いに噛み合うように形成されたものである（請求項１７）。かかる構成とすると、所定の電圧を印加することにより、上記噛み合い部に横方向電界が発生し、それにより、液晶層に異配向方位領域が形成されるので、容易に転移させることができる。
【手続補正１９４】
【補正対象書類名】明細書
【補正対象項目名】０２１３
【補正方法】変更
【補正の内容】
【０２１３】
また、前記互いに噛み合う形状がジグザグ形状であるものとしてもよい（請求項１８）。
【手続補正１９５】
【補正対象書類名】明細書
【補正対象項目名】０２１４
【補正方法】変更
【補正の内容】
【０２１４】
また、本発明に係る液晶表示素子の駆動方法は、対向する一対の基板間に液晶層が配置され、一方の前記基板上にソース線、ゲート線、及び画素電極が形成されるとともに他方の前記基板に対向電極が形成され、局所的に他の領域と配向方向が異なっている異配向方位領域を横方向電界によって発生させる液晶表示素子の駆動方法であって、前記ゲート線に略全ての期間に特定符号のゲート電圧を印加し、前記ソース線にゲート電圧と逆符号の電圧を、前記対向電極にはゲート電圧と同符号の電圧を印加する期間が存在するようにしたものである（請求項１９）。
【手続補正１９６】
【補正対象書類名】明細書
【補正対象項目名】０２１５
【補正方法】変更
【補正の内容】
【０２１５】
この場合、前記ゲート線には通常駆動用の走査波形を有する電圧が印加されているものとしてもよい（請求項２０）。
【手続補正１９７】
【補正対象書類名】明細書
【補正対象項目名】０２１６
【補正方法】変更
【補正の内容】
【０２１６】
また、本発明に係る液晶表示素子の駆動方法は、対向する一対の基板間に液晶層が配置され、一方の前記基板上にソース線、ゲート線、及び画素電極が形成されるとともに他方の前記基板に対向電極が形成され、局所的に他の領域と配向方向が異なっている異配向方位領域を横方向電界によって発生させる液晶表示素子の駆動方法であって、相隣合う前記ソース線には交互に異なる電圧が印加されるようにしたものである（請求項２１）。
【手続補正１９８】
【補正対象書類名】明細書
【補正対象項目名】０２１７
【補正方法】変更
【補正の内容】
【０２１７】
また、本発明に係る液晶表示素子の製造方法は、少なくとも１枚の基板と液晶層とを有する液晶表示素子に、局所的に他の領域と配向方向が異なっている異配向方位領域を形成するものである（請求項２２）。
【手続補正１９９】
【補正対象書類名】明細書
【補正対象項目名】０２１８
【補正方法】変更
【補正の内容】
【０２１８】
この場合、前記異配向方位領域をラビング処理により形成するものとしてもよい（請求項２３）。
【手続補正２００】
【補正対象書類名】明細書
【補正対象項目名】０２１９
【補正方法】変更
【補正の内容】
【０２１９】
また、前記ラビング処理におけるバイアス角度が３０度以下であるものとしてもよい（請求項２４）。
【手続補正２０１】
【補正対象書類名】明細書
【補正対象項目名】０２２０
【補正方法】変更
【補正の内容】
【０２２０】
また、前記配向処理がラビング処理であるとともに、前記異配向方位領域を形成する手
段が立体障害であって、前記立体障害のラビングの影部分に、ラビング方向から見て右方向にラビングされた領域と左方向にラビングされた領域とが形成されているものとしてもよい（請求項２５）。
【手続補正２０２】
【補正対象書類名】明細書
【補正対象項目名】０２２１
【補正方法】変更
【補正の内容】
【０２２１】
また、前記異配向方位領域が転移核となるとともに、前記転移核から画素電極までの間において、転移電圧が連続して印加されるものとしてもよい（請求項２６）。
【手続補正２０３】
【補正対象書類名】明細書
【補正対象項目名】０２２２
【補正方法】変更
【補正の内容】
【０２２２】
また、画素電極が、画素構造において最上層に形成されたものとしてもよい（請求項２７）。
【手続補正２０４】
【補正対象書類名】明細書
【補正対象項目名】０２２３
【補正方法】変更
【補正の内容】
【０２２３】
また、前記異配向方位領域を補助容量電極上に形成するとともに、前記補助容量電極と画素電極とがオーバーラップしている構造であるものとしてもよい（請求項２８）。
【手続補正２０５】
【補正対象書類名】明細書
【補正対象項目名】０２２４
【補正方法】変更
【補正の内容】
【０２２４】
また、前記互いに噛み合う形状が凸形状であるものとしてもよい（請求項２９）。
【手続補正２０６】
【補正対象書類名】明細書
【補正対象項目名】０２２５
【補正方法】変更
【補正の内容】
【０２２５】
また、前記画素電極と前記ゲート線との相隣合う縁部同士が、互いに噛み合うように形成されたものとしてもよい（請求項３０）。
【手続補正２０７】
【補正対象書類名】明細書
【補正対象項目名】０２２６
【補正方法】変更
【補正の内容】
【０２２６】
また、前記噛み合い部分は、該部分に形成される横方向電界の方向が前記一対の基板に施されたパラレル配向処理の方向に対し４５度以上かつ１３５度以下の交差角を有するような形状に形成されているものとしてもよい（請求項３１）。
【手続補正２０８】
【補正対象書類名】明細書
【補正対象項目名】０２２７
【補正方法】変更
【補正の内容】
【０２２７】
また、前記交差角が８０度以上かつ１００度以下であるものとしてもよい（請求項３２）。
【手続補正２０９】
【補正対象書類名】明細書
【補正対象項目名】０２２８
【補正方法】変更
【補正の内容】
【０２２８】
また、前記交差角が９０度であるものとしてもよい（請求項３３）。
【手続補正２１０】
【補正対象書類名】明細書
【補正対象項目名】０２２９
【補正方法】変更
【補正の内容】
【０２２９】
また、前記噛み合い部分の画素電極と前記ゲート線との隙間が３μｍ以上かつ１５μｍ以下であるものとしてもよい（請求項３４）。
【手続補正２１１】
【補正対象書類名】明細書
【補正対象項目名】０２３０
【補正方法】変更
【補正の内容】
【０２３０】
また、転移動作中において、前記ゲート線は少なくとも高電圧状態であり、かつ前記画素電極は前記高電圧状態より低い、０Ｖを含む低電圧状態であるものとしてもよい（請求項３５）。
【手続補正２１２】
【補正対象書類名】明細書
【補正対象項目名】０２３１
【補正方法】変更
【補正の内容】
【０２３１】
また、前記噛み合い部に形成される横方向電界により前記一方の基板内面付近の液晶分子列を前記パラレル配向処理の方向から横方向に捩らせ、かつ前記対向電極と前記画素電極との間に印加される縦方向電界で液晶分子を立ち上がらせて、前記液晶層をベンド配向へ転移させるものとしてもよい（請求項３６）。
【手続補正２１３】
【補正対象書類名】明細書
【補正対象項目名】０２３２
【補正方法】変更
【補正の内容】
【０２３２】
また、前記局所的配向をしている領域の基板表面付近の液晶分子の配向の方向が前記局所的配向をしている領域の外部にいくにつれ徐々に変化し、液晶の配向が連続的に繋がっているものとしてもよい。
【手続補正２１４】
【補正対象書類名】明細書
【補正対象項目名】０２３３
【補正方法】変更
【補正の内容】
【０２３３】
また、前記立体物の先端部よりも基部の方が大きく、前記立体物の側面の傾斜角度が３０度以上であるものとしてもよい。
【手続補正２１５】
【補正対象書類名】明細書
【補正対象項目名】０２３４
【補正方法】変更
【補正の内容】
【０２３４】
また、前記立体物の先端部よりも基部の方が大きく、前記立体物の側面の傾斜角度が略９０度であるものとしてもよい。
【手続補正２１６】
【補正対象書類名】明細書
【補正対象項目名】０２３５
【補正方法】変更
【補正の内容】
【０２３５】
また、前記立体物の先端部よりも基部の方が小さいものとしてもよい。
【手続補正２１７】
【補正対象書類名】明細書
【補正対象項目名】０２３６
【補正方法】変更
【補正の内容】
【０２３６】
また、前記局所的配向をしている領域において、該局所的配向をしている領域内に存在する前記立体物に近い部分の液晶の配向は前記立体物の液晶配向機能によって定まり、前記立体物から離れた部分の液晶の配向はラビングによって定まっているものとしてもよい。
【手続補正２１８】
【補正対象書類名】明細書
【補正対象項目名】０２３７
【補正方法】変更
【補正の内容】
【０２３７】
また、前記立体物に近い部分が無ラビング領域であり、前記立体物から離れた部分に、ラビング方向から見て右方向にラビングされた領域と左方向にラビングされた領域とが相接するように形成されているものとしてもよい。
【手続補正２１９】
【補正対象書類名】明細書
【補正対象項目名】０２３８
【補正方法】変更
【補正の内容】
【０２３８】
また、前記右方向にラビングされた領域と左方向にラビングされた領域とがラビング方向に対し非対称であるものとしてもよい。
【手続補正２２０】
【補正対象書類名】明細書
【補正対象項目名】０２３９
【補正方法】変更
【補正の内容】
【０２３９】
また、前記立体物が複数配設され、各立体物の局所的配向をしている領域が互いに重なり合うように形成されているものとしてもよい。
【手続補正２２１】
【補正対象書類名】明細書
【補正対象項目名】０２４０
【補正方法】変更
【補正の内容】
【０２４０】
また、前記立体物が撥水性であるものとしてもよい。
【手続補正２２２】
【補正対象書類名】明細書
【補正対象項目名】０２４１
【補正方法】変更
【補正の内容】
【０２４１】
また、前記立体物が親水性であるものとしてもよい。
【手続補正２２３】
【補正対象書類名】明細書
【補正対象項目名】０２４２
【補正方法】変更
【補正の内容】
【０２４２】
また、前記立体物が、前記液晶層の厚さを保持する柱スペーサであるものとしてもよい。
【手続補正２２４】
【補正対象書類名】明細書
【補正対象項目名】０２４３
【補正方法】変更
【補正の内容】
【０２４３】
また、前記基板の一方がアクティブマトリクス基板であり、該アクティブマトリクスの段差が前記立体物であるものとしてもよい。
【手続補正２２５】
【補正対象書類名】明細書
【補正対象項目名】０２４４
【補正方法】変更
【補正の内容】
【０２４４】
また、前記異配向方位領域の大きさを、ラビング布の押し込み量を変化させることにより制御するものとしてもよい。
【手続補正２２６】
【補正対象書類名】明細書
【補正対象項目名】０２４５
【補正方法】変更
【補正の内容】
【０２４５】
また、前記ラビング処理におけるバイアス角度が１５度以上であるものとしてもよい。
【手続補正２２７】
【補正対象書類名】明細書
【補正対象項目名】０２４６
【補正方法】変更
【補正の内容】
【０２４６】
また、前記ラビング処理におけるバイアス角度が９０度未満であるものとしてもよい。
【手続補正２２８】
【補正対象書類名】明細書
【補正対象項目名】０２４７
【補正方法】変更
【補正の内容】
【０２４７】
また、前記ラビング処理に用いるローラのバフの毛の植毛方向が前記バフの地布面に対し傾いているものとしてもよい。
【手続補正２２９】
【補正対象書類名】明細書
【補正対象項目名】０２４８
【補正方法】変更
【補正の内容】
【０２４８】
また、前記異配向方位領域を形成する手段が、前記基板表面の傾斜構造であるものとしてもよい。
【手続補正２３０】
【補正対象書類名】明細書
【補正対象項目名】０２４９
【補正方法】変更
【補正の内容】
【０２４９】
また、前記傾斜構造が配向膜の厚み変化によって形成されているものとしてもよい。
【手続補正２３１】
【補正対象書類名】明細書
【補正対象項目名】０２５０
【補正方法】変更
【補正の内容】
【０２５０】
また、前記傾斜構造の傾斜角が０．２度以上であるものとしてもよい。
【手続補正２３２】
【補正対象書類名】明細書
【補正対象項目名】０２５１
【補正方法】変更
【補正の内容】
【０２５１】
また、前記異配向方位領域が垂直配向領域であるものとしてもよい。
【手続補正２３３】
【補正対象書類名】明細書
【補正対象項目名】０２５２
【補正方法】変更
【補正の内容】
【０２５２】
また、前記異配向方位領域を形成する手段が、立体物によるラビング遮蔽であるものとしてもよい。
【手続補正２３４】
【補正対象書類名】明細書
【補正対象項目名】０２５３
【補正方法】変更
【補正の内容】
【０２５３】
また、前記異配向方位領域が２０度以上のプレチルトを有するものとしてもよい。
【手続補正２３５】
【補正対象書類名】明細書
【補正対象項目名】０２５４
【補正方法】変更
【補正の内容】
【０２５４】
また、前記異配向方位領域が４０度以上のプレチルトを有するものとしてもよい。